(57)【要約】【課題】容器に設けた開口部と蓋との間の密閉性を高める。【解決手段】野菜室７における容器３１の底壁３７に開口部３７ｂを形成し、開口部３７ｂに蓋５９を着脱自在に取り付ける。蓋５９は、円形のフランジ部５９ａの裏面側に、底壁３７の板厚分隔てて一対の係止爪５９ｅを備えている。底壁３７は、蓋５９のフランジ部５９ａが当接する蓋当接部３７ｂ２を備え、開口部３７ｂの周縁の互いに対向する位置に切欠部３７ｂ１を設けている。蓋５９の係止爪５９ｅを切欠部３７ｂ１に入り込ませた後、蓋５９を９０度程度回転させることで、蓋５９のフランジ部５９ａと係止爪５９ｅとで、底壁３７の蓋当接部３７ｂ２を挟持する。【選択図】図７
2018204798.tif 000002
【特許請求の範囲】
【請求項１】
冷蔵庫本体に設けられる貯蔵室と、
前記貯蔵室に配置される容器と、
前記容器の底壁に設けられる開口部と、
前記開口部に対して着脱自在に設けられる蓋と、
前記蓋を前記開口部に装着したときに、前記蓋と前記開口部との間を密閉する密閉手段と、を有することを特徴とする冷蔵庫。
【請求項２】
前記密閉手段は、
前記蓋の外周に設けられた環状のフランジ部と、
前記開口部の周縁に設けられ、前記フランジ部が当接するフランジ受部と、
前記蓋の周方向の一部に設けられ、前記フランジ部との間に形成される隙間に前記フランジ受部が入り込んで前記フランジ部との間で前記フランジ受部を挟持するフック部と、を有し、
前記フランジ受部には、前記フック部が通過可能な切欠部が設けられていることを特徴とする請求項１に記載の冷蔵庫。
【請求項３】
前記フック部の前記フランジ受部に対向する面に、前記フランジ受部に向けて突出するフック側突起を備え、
前記フランジ受部の前記フック部に対向する面に、前記フック部に向けて突出するフランジ受部側突起を備え、
前記フランジ受部側突起と前記フック側突起とのいずれか一方は、前記フランジ部と前記フック部との間で前記フランジ受部を挟持した状態で、前記フランジ部の周方向で前記フランジ受部側突起と前記フック側突起とのいずれか他方の両側にそれぞれ位置していることを特徴とする請求２項に記載の冷蔵庫。
【請求項４】
前記フランジ受部に環状の溝が設けられていることを特徴とする請求項２または３項に記載の冷蔵庫。
【請求項５】
前記蓋の表面は、前記容器の底壁の表面と同一面であることを特徴とする請求項１ないし４のいずれか１項に記載の冷蔵庫。
【請求項６】
前記容器の底壁は、前記蓋の周縁近傍が、当該周縁近傍を間にして前記蓋と反対側に対し上下方向の高さが高く形成されていることを特徴とする請求項１ないし５のいずれか１項に記載の冷蔵庫。
【請求項７】
前記容器は、前記冷蔵庫本体から引き出される野菜室の引出扉に収容されるものであることを特徴とする請求項１ないし６のいずれか１項に記載の冷蔵庫。
【請求項８】
前記容器の開口部は、前記引出扉を引き出したときに、引き出し方向で前記冷蔵庫本体に対してずれた位置にあることを特徴とする請求項７に記載の冷蔵庫。
【請求項９】
前記容器は、水平方向で少なくとも２つの領域に仕切る仕切壁を備え、
前記仕切壁は、前記２つの領域相互を連通する連通部を一方の端部近傍に備え、
前記仕切壁の他方の端部近傍の前記２つの領域のうちの１つの領域に前記開口部が設けられていることを特徴とする請求項１ないし８のいずれか１項に記載の冷蔵庫。
【請求項１０】
前記容器は、前記底壁の上下方向の高さが異なる複数の領域を備え、前記複数の領域のうち最も高さが低い領域に前記開口部が設けられていることを特徴とする請求項１ないし８のいずれか１項に記載の冷蔵庫。
【請求項１１】
前記容器は、前記底壁に上方に向けて突出する凸部が設けられ、前記凸部を避けた位置の前記底壁に前記開口部が設けられていることを特徴とする請求項１ないし１０のいずれか１項に記載の冷蔵庫。
【発明の詳細な説明】
【技術分野】
【０００１】
本発明は、冷蔵庫本体の貯蔵室に容器が配置される冷蔵庫に関する。
【背景技術】
【０００２】
冷蔵庫の引出扉に収容ケースを配置し、収容ケースの底面部に設けた開口部に、収納トレー部を備えたキャップ部を着脱可能に取り付けた冷蔵庫が知られている（特許文献１）。
【先行技術文献】
【特許文献】
【０００３】
【特許文献１】特開２０１１−１８５４６３号公報
【発明の概要】
【発明が解決しようとする課題】
【０００４】
特許文献１の冷蔵庫は、キャップ部と開口部との間の密閉性に課題がある。
【０００５】
そこで本発明は、容器に設けた開口部と蓋との間の密閉性を高めることを目的としている。
【課題を解決するための手段】
【０００６】
本発明の実施の形態の冷蔵庫は、冷蔵庫本体に設けられる貯蔵室と、前記貯蔵室に配置される容器と、前記容器の底壁に設けられる開口部と、前記開口部に対して着脱自在に設けられる蓋と、前記蓋を前記開口部に装着したときに、前記蓋と前記開口部との間を密閉する密閉手段と、を有する。
【図面の簡単な説明】
【０００７】
【図１】本発明の第１の実施形態に係わる冷蔵庫の正面図である。
【図２】図１に示す冷蔵庫の断面図である。
【図３】図１に示す冷蔵庫の野菜室で使用する容器の平面図である。
【図４】図３に示す容器の側面図である。
【図５】図３に示す容器の蓋を取り付けた部位周辺の斜視図である。
【図６】図５のＡ−Ａ断面図である。
【図７】図５のＢ−Ｂ断面図である。
【図８】図５に対し蓋を取り外した状態の容器の開口部周辺を蓋と共に示す斜視図である。
【図９】図８に示す蓋の裏側から見た斜視図である。
【図１０】図８に示す蓋のＣ−Ｃ断面図である。
【図１１】第２の実施形態に係わる容器の開口部周辺を裏側から見た裏面図である。
【図１２】図１１のＤ−Ｄ断面図である。
【図１３】第２の実施形態に係わる蓋の裏側から見た裏面図である。
【図１４】図１３のＥ−Ｅ断面図である。
【図１５】第２の実施形態に係わる蓋を容器の開口部に取り付けた状態を示す、図１４に対応する断面図である。
【図１６】第３の実施形態に係わる容器に蓋を取り付けた部位周辺を示す斜視図である。
【図１７】図１６のＦ−Ｆ断面図である。
【図１８】第４の実施形態に係わる容器の開口部周辺を示す斜視図である。
【図１９】図１８の開口部に蓋を取り付けた状態での図１８のＧ−Ｇ断面図である。
【図２０】他の実施形態に係わる容器の平面図である。
【発明を実施するための形態】
【０００８】
以下、本発明の実施の形態を図面に基づき説明する。
【０００９】
図１、図２に示すように、本発明の第１の実施形態に係わる冷蔵庫１は、冷蔵庫本体３の内部に貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。なお、以下の説明での「前後方向」は、図２中で左側の冷蔵庫前面側を前、右側の冷蔵庫裏面側を後とした前後方向であり、「左右方向」は図１中の冷蔵庫前面側から見て左右方向である。
【００１０】
冷蔵室５の前面には、冷蔵室５の前面開口部を開閉する左右の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。
【００１１】
野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。冷蔵庫本体３の下冷凍室１３の後方下部には機械室２７を形成し、機械室２７に圧縮機２９を収容している。
【００１２】
野菜室７の引出扉１９は、野菜等の貯蔵物を収納する容器３１を保持して収容している。具体的には、引出扉１９は、野菜室７側の後面の上部に、前後方向に延在する図示しない容器保持アームを、左右一対備えている。一方、図３に示す容器３１の上端の左右両側には、左右両側に向けて突出する被保持突部３１ａを、容器３１の前後方向の略全長に設けている。引出扉１９の容器保持アームの上に被保持突部３１ａを載せることで、容器３１が引出扉１９に保持される。この状態で、容器３１は引出扉１９（容器保持アーム）から上方に持ち上げることで取り外すことができる。
【００１３】
図２に示すように、容器３１の上には、容器３１に比較して容積が小さい小容器３３を載せている。小容器３３は、左右方向両端部付近の底壁を、容器３１の左右の壁４３，４５に載せることで、容器３１に保持される。小容器３３は、図２に示す容器３１に対する前後方向の基準位置（ホームポジション）で、引出扉１９との間に、貯蔵物を出し入れする開口３５を形成する。小容器３３は、図２に示す基準位置（ホームポジション）から、容器３１に対して後方にスライド移動させることで、開口３５が拡がる。
【００１４】
容器３１は、図３、図４に示すように、底壁３７、前壁３９、後壁４１及び左右の壁４３，４５を備え、上部が開放している。前壁３９と左右の壁４３，４５との間の角部には、前傾斜壁４７，４９を形成し、後壁４１と左右の壁４３，４５との間の角部には、後傾斜壁５１，５３を形成している。容器３１は、これらの壁に囲まれた内側に収納空間５５が形成される。なお、図２に示す容器３１は、簡略化して示したもので、図３、図４に示す容器３１とは形状が異なっている。
【００１５】
収納空間５５は、前壁３９と後壁４１との間で前壁３９により近い位置に設けた仕切壁５７によって前領域５５ａ及び後領域５５ｂの２つの領域に仕切ってある。仕切壁５７は底壁３７と一体である。仕切壁５７の上に図示しない取り外し可能な図示しない仕切板を取り付けることができる。図示しない仕切板は、容器３１の左右の壁４３，４５の内面に上下方向に沿って形成してあるガイド突起４３ａ，４５ａに保持され、容器３１に装着した状態から上方に引き抜くようにして上昇させることで、取り外すことができる。
【００１６】
奥側の後領域５５ｂは、底壁３７の右壁４５に近い位置に形成してある段差３７ａを境として、右壁４５側の低領域５５ｂ１が左壁４３側の高領域５５ｂ２に比較して上下方向の高さが低くなっている。前領域５５ａの上下方向の高さは、低領域５５ｂ１あるいは高領域５５ｂ２と略同等である。高領域５５ｂ２の図３中で右上角部には傾斜部５６を設けている。傾斜部５６は、高領域５５ｂ２の図３中で右上角部の上下方向高さが最も高く、左下角部に向けて高さが徐々に低くなっている。したがって、容器３１内の高領域５５ｂ２で発生した水分は、図３中で左下角部に向けて流れる傾向にある。
【００１７】
低領域５５ｂ１における仕切壁５７近傍の底壁３７には、図６、図７に示すように、開口部３７ｂを形成してあり、開口部３７ｂに蓋５９を着脱自在に取り付けている。開口部３７ｂは、図８に示すように、大略円形であり、互いに対向する部分の内周縁に凹状の切欠部３７ｂ１を備えている。底壁３７の開口部３７ｂを形成してある部分には、底壁３７の表面に対して上下方向の高さが低くなるフランジ受部としての蓋当接部３７ｂ２を形成しており、蓋当接部３７ｂ２の内周縁に切欠部３７ｂ１を形成している。
【００１８】
蓋５９は、図８に示すように円形であり、外周縁の円形のフランジ部５９ａが底壁３７の蓋当接部３７ｂ２に当接して開口部３７ｂを密閉する。蓋５９は、フランジ部５９ａの内側に、下方に凹む凹部５９ｂを形成してある。凹部５９ｂには、円形の蓋５９の直径方向で互いに対向する位置のフランジ部５９ａ相互をつなぐように把持部５９ｃを設けている。
【００１９】
蓋５９の裏面は、図９に示すように、フランジ部５９ａの内側が、図８の凹部５９ｂに対応する凸部５９ｄとなっている。蓋５９の裏面側には、図１０に示すように、フランジ部５９ａに対応する位置で、かつ、把持部５９ｃに対応する位置に、直径方向外側に突出するフック部としての一対の係止爪５９ｅを設けている。フランジ部５９ａと係止爪５９ｅとの間の隙間６１の間隔ｔは、底壁３７の蓋当接部３７ｂ２に対応する位置の板厚に対し略同等かやや狭い。
【００２０】
図９に示す係止爪５９ｅの幅ｈは、図８に示す切欠部３７ｂ１の幅Ｈよりも小さい（ｈ＞Ｈ）。したがって、蓋５９を開口部３７ｂに取り付けるには、蓋５９の係止爪５９ｅを切欠部３７ｂ１に入り込ませた状態で、把持部５９ｃを掴んで例えば９０度程度蓋５９の全体を底壁３７に対して回転させる。
【００２１】
これにより、蓋５９のフランジ部５９ａと一対の係止爪５９ｅとの間で、底壁３７の蓋当接部３７ｂ２を挟持することになり、蓋５９を底壁３７に取り付けることができる。このとき、底壁３７は、フランジ部５９ａと一対の係止爪５９ｅとの間に挟まれることで、開口部３７ｂが密閉された状態となる。すなわち、本実施形態は、蓋５９を開口部３７ｂに装着したときに、蓋５９と開口部３７ｂとの間を密閉する密閉手段を有している。
【００２２】
蓋５９を開口部３７ｂから取り外す際には、係止爪５９ｅが切欠部３７ｂ１に整合する位置となるよう回転させ、その後持ち上げるようにして取り外すことができる。係止爪５９ｅは、把持部５９ｃに対応する位置に設けてある。このため、切欠部３７ｂ１に対応する位置の底壁３７の表面に、例えば図８に示すように何らかの印（マーク）６３を設けておくことで、係止爪５９ｅを切欠部３７ｂ１に容易に整合させることができ、蓋５９の取り外し作業が容易となる。
【００２３】
野菜室７に大根やキャベツなどの野菜をそのまま収納しておくと、葉屑などのゴミが容器３１に溜まる。このとき、図２の二点鎖線で示すように、野菜室７の引出扉１９を引き出して、収納している野菜を一部あるいは全部取り出した状態で、蓋５９を外し、開口部３７ｂからゴミを外部に排出する。このとき、開口部３７ｂの下方の床にゴミ箱６５を配置しておくことで、開口部３７ｂから落下するゴミをゴミ箱６５に直接廃棄することができる。本実施形態では、野菜室７が複数の貯蔵室のうち下から３段目に位置しているが、野菜室７を下から２段目以上とすることで、ゴミ箱６５を配置しやすくなる。
【００２４】
容器３１に野菜から出る水分等の液体が溜まることがあるが、当該液体も開口部３７ｂから容器３１の外部に排出することができる。容器３１に溜まっている液体は、蓋５９を装着している状態では開口部３７ｂを密閉しているので、外部への漏れを抑制できる。
【００２５】
本実施形態は、冷蔵庫本体３に設けられる野菜室７と、野菜室７に配置される容器３１と、容器３１の底壁３７に設けられる開口部３７ｂと、開口部３７ｂに対して着脱自在に設けられる蓋５９と、を備える。蓋５９を開口部３７ｂに装着したときに、蓋５９のフランジ部５９ａと係止爪５９ｅとの間で底壁３７を挟むことで、蓋５９と開口部３７ｂとの間を密閉する密閉手段を備える。
【００２６】
このように、蓋５９を底壁３７の開口部３７ｂに装着した状態では、蓋５９と開口部３７ｂとの間が密閉された状態となる。このため、容器３１内に溜まったゴミや液体が外部に漏出するのをより確実に抑制できる。蓋５９を底壁３７から取り外すことで、容器３１内に溜まったゴミや液体を、容器３１を引出扉１９から取り外すことなく、開口部３７ｂから容器３１の外部に排出して、容器３１を容易に清掃することができる。
【００２７】
本実施形態は、密閉手段が、蓋５９の外周に設けられた環状のフランジ部５９ａと、開口部３７ｂの周縁に設けられ、フランジ部５９ａが当接する蓋当接部３７ｂ２と、蓋５９の周方向の一部に設けられ、フランジ部５９ａとの間の隙間６１に蓋当接部３７ｂ２が入り込んでフランジ部５９ａとの間で蓋当接部３７ｂ２を挟持する係止爪５９ｅと、を有する。蓋当接部３７ｂ２には、係止爪５９ｅが通過可能な切欠部３７ｂ１が設けられている。
【００２８】
この場合、蓋５９を開口部３７ｂに取り付ける際に、係止爪５９ｅを切欠部３７ｂ１に入り込ませて通過させた後、蓋５９を一定角度回転させる。これにより、蓋５９のフランジ部５９ａと係止爪５９ｅとの間で、底壁３７の蓋当接部３７ｂ２を上下から挟持して、蓋５９と開口部３７ｂとの間を密閉することができる。
【００２９】
本実施形態は、蓋５９の表面が、容器３１の底壁３７の表面と同一面である。この場合、蓋５９を底壁３７の開口部３７ｂに取り付けた状態で、蓋５９のフランジ部５９ａの表面と容器３１の底壁３７の表面とが同一面となる。このため、蓋５９が底壁３７の表面から上方に突出したり、凹んだりする場合に比較して、外観品質が向上する。蓋５９が底壁３７の表面から上方に突出する場合には、野菜等の収納物を容器３１に入れる際に、蓋５９が邪魔になる場合があるが、本実施形態では蓋５９が邪魔になることを抑制できる。
【００３０】
本実施形態は、容器３１が、冷蔵庫本体３から引き出される野菜室７の引出扉１９に収容されるものである。野菜室７は葉屑などのゴミが溜まりやすいので、これらのゴミを廃棄して掃除するのに本実施形態は極めて有効である。
【００３１】
本実施形態は、容器３１の開口部３７ｂが、引出扉１９を冷蔵庫本体３から引き出したときに、引き出し方向で冷蔵庫本体３に対してずれた位置にある。この場合、図２のように、引出扉１９を冷蔵庫本体３から引き出したときに、蓋５９が外部に露出し、露出している蓋５９を開口部３７ｂから取り外す。このとき、開口部３７ｂの直下にゴミ箱６５を配置することで、ゴミをゴミ箱６５に直接廃棄することができ、容器３１内の清掃が極めて容易となる。容器３１に溜まった液体も同様にして廃棄することができる。
【００３２】
本実施形態は、容器３１が、底壁３７の上下方向の高さが異なる複数の領域（後領域５５ｂの低領域５５ｂ１及び高領域５５ｂ２）を備え、複数の領域のうち最も高さが低い低領域５５ｂ１に開口部３７ｂが設けられている。このため、高領域５５ｂ２に溜まったゴミや液体は、高さが低い低領域５５ｂ１に移動させやすく、低領域５５ｂ１に形成してある開口部３７ｂからのゴミや液体の廃棄が容易となる。なお、容器３１が仕切壁５７を備えていない場合には、前領域５５ａの上下方向の高さを高領域５５ｂ２と同等かより高くすることで、前領域５５ａに溜まったゴミや液体を、高さが低い低領域５５ｂ１に移動させやすくなる。
【００３３】
次に、第２の実施形態を説明する。
【００３４】
図１１は、第２の実施形態による容器３１の底壁３７に設けてある開口部３７ｂ周辺を、底壁３７の裏面３７ｃ側から見ている。開口部３７ｂ周縁の底壁３７の裏面３７ｃには、円形の開口部３７ｂにおける互いに対向する二箇所にフランジ受部側突起としての底壁側突起３７ｄを設けている。底壁側突起３７ｄは、切欠部３７ｂ１に対して周方向に９０度隔てた位置にある。
【００３５】
二箇所の底壁側突起３７ｄは、いずれも二つの突起部３７ｄ１，３７ｄ２を開口部３７ｂの周方向に沿って間隔を開けて設けてある。各突起部３７ｄ１，３７ｄ２は、図１２に示すように、両側に緩やかな傾斜面Ｓ１，Ｓ２をそれぞれ備えた山形の形状となっている。突起部３７ｄ１，３７ｄ２相互間には、底壁側係合凹部３７ｅが形成される。
【００３６】
図１３は、蓋５９を裏面側から見ている。係止爪５９ｅのフランジ部５９ａに対向する面には、図１４にも示すように、フック側突起としての蓋側突起５９ｆを設けている。蓋側突起５９ｆは、底壁３７の底壁側係合凹部３７ｅに入り込んで係合する。蓋側突起５９ｆは、両側に傾斜面Ｓ１，Ｓ２と同様な緩やかな傾斜面Ｌ１，Ｌ２を備えた山形の形状となっている。
【００３７】
図１５は、蓋側突起５９ｆが、突起部３７ｄ１，３７ｄ２相互間の底壁側係合凹部３７ｅに係合した状態を示している。図１３に示す蓋５９を、図１３に対して紙面上で９０度回転させた状態で、図１１の紙面裏側（容器３１の表側）から、係止爪５９ｅを切欠部３７ｂ１に通過させた後、蓋５９を開口部３７ｂに対して９０度回転させる。ここまでは第１の実施形態と同様である。
【００３８】
第２の実施形態では、蓋５９を開口部３７ｂに対して９０度回転させたときに、係止爪５９ｅの蓋側突起５９ｆが、突起部３７ｄ１，３７ｄ２のいずれかを乗り上げた後、突起部３７ｄ１，３７ｄ２相互間の底壁側係合凹部３７ｅに入り込んで係合する。このとき、主に蓋５９の係止爪５９ｅが底壁３７から離れる方向に弾性変形する。
【００３９】
このように、第２の実施形態は、係止爪５９ｅの蓋当接部３７ｂ２に対向する面に、蓋当接部３７ｂ２に向けて突出する蓋側突起５９ｆを備え、蓋当接部３７ｂ２の係止爪５９eに対向する面に、係止爪５９ｅに向けて突出する底壁側突起３７ｄを備えている。底壁側突起３７ｄは、フランジ部５９ａと係止爪５９ｅとの間で蓋当接部３７ｂ２を挟持した状態で、フランジ部５９ａの周方向で蓋側突起５９ｆの両側にそれぞれ位置している。
【００４０】
この場合、蓋側突起５９ｆが突起部３７ｄ１，３７ｄ２相互間の底壁側係合凹部３７ｅに係合することによって、蓋５９と底壁３７との間にロック機能が働くので、蓋５９の意図しない外れを抑制できる。なお、図１２に示す底壁３７側の突起部３７ｄ１，３７ｄ２の形状を、係止爪５９ｅ側に設け、図１４に示す係止爪５９ｅ側の蓋側突起５９ｆの形状を、底壁３７側に設けてもよい。
【００４１】
第２の実施形態では、底壁側突起３７ｄを開口部３７ｂにおける互いに対向する二箇所に設けたが、係合力が充分に確保できるのであれば、そのうち一方を省略しても構わない。この場合、より小さな力でもって両突起３７ｄ，５９ｆの係合あるいは解除が可能となることから、組付性を向上できる。なお、この作用効果は、第２の実施形態において２つある蓋側突起５９ｆのうち一方を省略した場合にも同様に得ることができる。
【００４２】
次に、第３の実施形態を図１６、図１７を用いて説明する。図１６、図１７は、第１の実施形態で説明した図５、図６にそれぞれ対応している。
【００４３】
第３の実施形態は、第１の実施形態に対し、蓋５９の周縁の外側の底壁３７の表面に、環状の膨出部３７ｆを形成している。環状の膨出部３７ｆは、膨出部３７ｆを間にして蓋５９と反対側の外側の底壁３７の表面に対し、図１７中で上下方向の高さを高くしている。図１７に示すように、膨出部３７ｆの上面は略平面となっていて、膨出部３７ｆにおける底壁３７の板厚が、膨出部３７ｆより外側の底壁３７の板厚よりも厚くなっている。
【００４４】
第３の実施形態は、底壁３７に関し、蓋５９の周縁近傍が、当該周縁近傍を間にして蓋５９と反対側に対して上下方向の高さが高く形成されている。このため、容器３１の底壁３７に溜まったゴミや液体が、膨出部３７ｆに遮られて蓋５９側に移動しにくくなり、蓋５９を取り付けた状態でのゴミや液体の開口部３７ｂ側への移動を抑制できる。
【００４５】
次に、第４の実施形態を図１８、図１９を用いて説明する。図１８は、第１の実施形態で説明した図５に対して蓋５９を取り外した状態に対応し、図１９は、図６に対応している。
【００４６】
第４の実施形態は、第１の実施形態に対し、蓋当接部３７ｂ２の開口部３７ｂ側の周縁に、表面側に突出する突起３７ｇを、切欠部３７ｂ１を含む全周にわたり設けている。突起３７ｇを設けることによって、突起３７ｇの開口部３７ｂと反対側に略環状となる溝３７ｉが、蓋当接部３７ｂ２に形成される。
【００４７】
図１９に示すように、蓋５９のフランジ部５９ａの外周縁には、全周にわたり裏面側に突出する環状突起５９ｈを設けている。環状突起５９ｈは、溝３７ｉに入り込む。
【００４８】
第４の実施形態は、開口部３７ｂの周縁の蓋当接部３７ｂ２に環状の溝３７ｉが設けられている。このため、容器３１の底壁３７に溜まった液体が開口部３７ｂ側に流れにくくなり、蓋５９を取り付けた状態での液体の開口部３７ｂからの漏れをより確実に抑制できる。
【００４９】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。例えば、容器３１における底壁３７の開口部３７ｂを設ける位置は、次に説明する位置としてもよい。
【００５０】
図２０は、他の実施形態に係わる容器３１Ａの平面図で、図３に対応している。図２０に示す容器３１Ａは、前壁３９と後壁４１との間で前壁３９により近い位置に仕切壁６７を設け、仕切壁６７によって、収納空間５５を前領域５５ａ及び後領域５５ｂの２つの領域に仕切っている。ここで、前領域５５ａは後領域５５ｂよりも上下方向の高さが低いものとする。
【００５１】
仕切壁６７は、左壁４３側の一方の端部６７ａが、左壁４３に対して離間していて左壁４３との間に連通部６９が形成される。仕切壁６７の右壁４５側の他方の端部６７ｂは、右壁４５に接続している。蓋５９は、仕切壁６７の他方の端部６７ｂ近傍の後領域５５ｂに設けている。
【００５２】
図２０に示す容器３１Ａは、後領域５５ｂの略中央に底壁３７の表面から上方に向けて突出する凸部としての補強用リブ７１を形成している。補強用リブ７１は、板状の底壁３７を補強して容器３１Ａの剛性を高めている。
【００５３】
図２０に示す他の実施形態は、容器３１Ａが、水平方向で少なくとも２つの領域（前領域５５ａ及び後領域５５ｂ）に仕切る仕切壁６７を備え、仕切壁６７は、２つの領域（前領域５５ａ及び後領域５５ｂ）相互を連通する連通部６９を一方の端部６７ａ近傍に備えている。仕切壁６７の他方の端部６７ｂ近傍の２つの領域のうちの１つの領域（後領域５５ｂ）に、蓋５９を取り付ける開口部３７ｂが設けられている。
【００５４】
この場合、後領域５５ｂに溜まった液体が、連通部６９を通って前領域５５ａに流れることで、後領域５５ｂに溜まったゴミを液体と分離でき、蓋５９を取り外してのゴミの清掃が容易となる。
【００５５】
図２０に示す他の実施形態は、容器３１Ａの底壁３７が上方に向けて突出する補強用リブ７１を備え、補強用リブ７１を避けた位置の底壁３７に、蓋５９を取り付ける開口部３７ｂが設けられている。この場合、蓋５９を、補強用リブ７１を形成している部分の底壁３７に設けていないので、容器３１Ａ内を清掃する際に補強用リブ７１が邪魔になることを抑制できる。補強用リブ７１を形成している部分の底壁３７に蓋５９を配置すると、補強用リブ７１が邪魔になって清掃が面倒になる。
【００５６】
また、図示していないが、容器の底壁の表面に溝を形成し、当該溝を除く部分の底壁に開口部３７ｂを形成してもよい。この場合、容器内に溜まった液体が溝に入り込むことになり、液体をゴミと分離することができる。これにより、蓋５９を取り外しての容器３１Ａ内のゴミの清掃が容易となる。
【００５７】
野菜室７の引出扉１９を閉じたときに、開口部３７ｂの下方に対応する冷蔵庫本体３に受け皿を設けてもよい。この場合、開口部３７ｂに蓋５９を装着した状態で、容器３１に溜まった液体が仮に漏れたとしても、漏れた液体を受け皿に溜めることができ、他の貯蔵室等に液体が浸入するのを抑制できる。
【００５８】
前記した各実施形態は、適宜組み合わせて適用することができる。
【符号の説明】
【００５９】
１  冷蔵庫
３  冷蔵庫本体
７  野菜室（貯蔵室）
１９  野菜室の引出扉
３１  容器
３７  容器の底壁
３７ｂ  底壁の開口部
３７ｂ１  切欠部
３７ｂ２  蓋当接部（フランジ受部、密閉手段）
３７ｄ  底壁側突起（フランジ受部側突起）
３７ｉ  環状の溝
５５ａ  前領域
５５ｂ  後領域
５５ｂ１  後領域の低領域
５５ｂ２  後領域の高領域
５９  蓋
５９ａ  蓋のフランジ部（密閉手段）
５９ｅ  蓋の係止爪（フック部、密閉手段）
５９ｆ  蓋側突起（フック側突起）
６７  仕切壁
６７ａ  仕切壁の一方の端部
６７ｂ  仕切壁の他方の端部
６９  連通部
７１  補強用リブ（凸部）
【図１】
2018204798.tif 000003
【図２】
2018204798.tif 000004
【図３】
2018204798.tif 000005
【図４】
2018204798.tif 000006
【図５】
2018204798.tif 000007
【図６】
2018204798.tif 000008
【図７】
2018204798.tif 000009
【図８】
2018204798.tif 000010
【図９】
2018204798.tif 000011
【図１０】
2018204798.tif 000012
【図１１】
2018204798.tif 000013
【図１２】
2018204798.tif 000014
【図１３】
2018204798.tif 000015
【図１４】
2018204798.tif 000016
【図１５】
2018204798.tif 000017
【図１６】
2018204798.tif 000018
【図１７】
2018204798.tif 000019
【図１８】
2018204798.tif 000020
【図１９】
2018204798.tif 000021
【図２０】
2018204798.tif 000022